Podtech/llm-jp-corpus-v4-ja_patent huggingface dataset:
【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技者により操作可能な第１の操作手段と、
遊技者により操作可能な第２の操作手段と、
表示結果が導出される前に、入賞について発生を許容するか否かを決定する事前決定手段と、
前記第１の操作手段及び前記第２の操作手段の操作に応じてゲームの進行制御を行うゲーム進行制御手段と、
前記事前決定手段の決定結果が特定の決定結果となったときに、終了条件が成立するまで前記第１の操作手段の操作も前記第２の操作手段の操作もゲームの進行制御に関与しない非関与制御状態に制御することが可能な非関与制御手段と、
前記非関与制御状態において、ゲームの進行制御に関与しない操作手段の操作に基づいて特定演出を実行することが可能な特定演出実行手段と、
を備え、
前記非関与制御状態の終了後の状態として、前記第１の操作手段の操作がゲームの進行制御に関与し、前記第２の操作手段の操作がゲームの進行制御に関与しない特定進行制御状態があり、
前記特定演出実行手段は、終了後の状態が前記特定進行制御状態となる非関与制御状態において、前記第１の操作手段の操作には基づかず前記第２の操作手段の操作に基づいて前記特定演出を実行することが可能であり、
前記スロットマシンは、終了後の状態が前記特定進行制御状態となる非関与制御状態において、前記第２の操作手段の操作を促す演出を実行する、スロットマシン。
【手続補正２】
【補正対象書類名】明細書
【補正対象項目名】０００８
【補正方法】変更
【補正の内容】
【０００８】
上記課題を解決するために、本発明の請求項１に記載のスロットマシンは、
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技者により操作可能な第１の操作手段と、
遊技者により操作可能な第２の操作手段と、
表示結果が導出される前に、入賞について発生を許容するか否かを決定する事前決定手段と、
前記第１の操作手段及び前記第２の操作手段の操作に応じてゲームの進行制御を行うゲーム進行制御手段と、
前記事前決定手段の決定結果が特定の決定結果となったときに、終了条件が成立するまで前記第１の操作手段の操作も前記第２の操作手段の操作もゲームの進行制御に関与しない非関与制御状態に制御することが可能な非関与制御手段と、
前記非関与制御状態において、ゲームの進行制御に関与しない操作手段の操作に基づいて特定演出を実行することが可能な特定演出実行手段と、
を備え、
前記非関与制御状態の終了後の状態として、前記第１の操作手段の操作がゲームの進行制御に関与し、前記第２の操作手段の操作がゲームの進行制御に関与しない特定進行制御状態があり、
前記特定演出実行手段は、終了後の状態が前記特定進行制御状態となる非関与制御状態において、前記第１の操作手段の操作には基づかず前記第２の操作手段の操作に基づいて前記特定演出を実行することが可能であり、
前記スロットマシンは、終了後の状態が前記特定進行制御状態となる非関与制御状態において、前記第２の操作手段の操作を促す演出を実行する
ことを特徴としている。
この特徴によれば、非関与制御状態が終了したことに気づかずに、遊技者が特定演出を実行させようと第１の操作手段がなされてしまうことにより遊技者が意図せずにゲームを進行させてしまうことを防止できる。
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
遊技を統括的に制御する遊技制御手段と、
前記遊技制御手段からの指令に基づいて遊技の演出に係る制御を行う演出制御手段と、
前記遊技制御手段によって制御され、所定の始動条件が成立したことに基づき複数の識別情報を変動表示する変動表示ゲームが実行される第１表示部と、
前記演出制御手段によって制御され、前記第１表示部での変動表示ゲームに対応させて、複数の演出用識別情報を変動表示する演出変動表示ゲームが実行される第２表示部と、を備え、
前記第２表示部で実行される前記演出変動表示ゲームが仮停止している間は、前記第１表示部で実行される変動表示ゲームを停止させることなく継続するようにしたことを特徴とする遊技機。
【手続補正２】
【補正対象書類名】明細書
【補正対象項目名】０００４
【補正方法】変更
【補正の内容】
【０００４】
特許文献１に記載の遊技機は、演出効果を向上させて遊技者の興趣を向上させるものでなかった。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
そこで、本発明は、演出効果を向上させて遊技者の興趣を向上させることを目的とする。
【手続補正５】
【補正対象書類名】明細書
【補正対象項目名】０００７
【補正方法】変更
【補正の内容】
【０００７】
本発明は、遊技を統括的に制御する遊技制御手段と、前記遊技制御手段からの指令に基づいて遊技の演出に係る制御を行う演出制御手段と、前記遊技制御手段によって制御され、所定の始動条件が成立したことに基づき複数の識別情報を変動表示する変動表示ゲームが実行される第１表示部と、前記演出制御手段によって制御され、前記第１表示部での変動表示ゲームに対応させて、複数の演出用識別情報を変動表示する演出変動表示ゲームが実行される第２表示部と、を備え、前記第２表示部で実行される前記演出変動表示ゲームが仮停止している間は、前記第１表示部で実行される変動表示ゲームを停止させることなく継続するようにした。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
本発明によると、第１表示部での変動表示ゲームに合わせて第２表示部でも装飾変動表示ゲームが実行されるので、演出効果を向上させることができ、遊技者の興趣を向上させることができる。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
遊技に関する制御を行う制御基板と、
前記制御基板の一方の板面に対峙するようにして設けられた第１ケース構成体及び前記制御基板の他方の板面に対峙するようにして設けられた第２ケース構成体が組み合わされることで内部空間が形成されており、その内部空間に前記制御基板を収容する基板ケースと、
前記基板ケースの開封を阻害するように設けられ、当該阻害状態が解除された場合に前記開封の痕跡を残存させる痕跡部と、
前記基板ケースの側部に設けられ、前記第１ケース構成体及び前記第２ケース構成体の合わせ面と平行となる特定方向へ変位可能となっており、同特定方向への変位により前記痕跡部に当接して当該痕跡部を破壊することにより、前記阻害状態を解除するとともに同痕跡部により前記痕跡を残存させる破壊部と、
前記基板ケースに設けられ、前記破壊部の前記特定方向への変位を規制する規制手段と
を備え、
前記規制手段が前記規制を解除する解除状態となることにより、前記破壊部の前記特定方向への変位が許容されることを特徴とする遊技機。
【手続補正２】
【補正対象書類名】明細書
【補正対象項目名】０００７
【補正方法】変更
【補正の内容】
【０００７】
本発明は、
遊技に関する制御を行う制御基板と、
前記制御基板の一方の板面に対峙するようにして設けられた第１ケース構成体及び前記制御基板の他方の板面に対峙するようにして設けられた第２ケース構成体が組み合わされることで内部空間が形成されており、その内部空間に前記制御基板を収容する基板ケースと、
前記基板ケースの開封を阻害するように設けられ、当該阻害状態が解除された場合に前記開封の痕跡を残存させる痕跡部と、
前記基板ケースの側部に設けられ、前記第１ケース構成体及び前記第２ケース構成体の合わせ面と平行となる特定方向へ変位可能となっており、同特定方向への変位により前記痕跡部に当接して当該痕跡部を破壊することにより、前記阻害状態を解除するとともに同痕跡部により前記痕跡を残存させる破壊部と、
前記基板ケースに設けられ、前記破壊部の前記特定方向への変位を規制する規制手段と
を備え、
前記規制手段が前記規制を解除する解除状態となることにより、前記破壊部の前記特定方向への変位が許容されることを特徴とする。
【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
高吸収性ヒドロゲルの製造方法であって：
前駆体成分を組合せて混合物を形成し、該前駆体成分の共有結合架橋を開始させること；
該組合せた前駆体成分を冷却した皿又は容器上に載せること；
該共有結合架橋が完了する前に該混合物を冷凍すること；及び
該冷凍された混合物を凍結乾燥させて、該ヒドロゲルを形成することを含み、
該前駆体成分は、求電子性官能基を含む第1の求電子性前駆体と、アミン及びチオールからなる群から選択される求核性官能基を含む第2の求核性前駆体とを含み、該求電子性官能基と該求核性官能基とが互いに化学的に反応して、共有結合を形成し、該前駆体成分を架橋する、前記製造方法。
【請求項２】
凍結乾燥の後、前記ヒドロゲルを調整することを更に含む、請求項1記載の方法。
【請求項３】
前記ヒドロゲルが調整されるときに、該ヒドロゲルが架橋を実質的に完了する、請求項2記載の方法。
【請求項４】
前記ヒドロゲルが調整された後は、該ヒドロゲルは実質的に未反応の反応性エステル末端基を有さない、請求項3記載の方法。
【請求項５】
前記混合物を前記皿又は容器上で冷凍する、請求項1記載の方法。
【請求項６】
前記凍結乾燥したヒドロゲルを1以上の構造体に形成することを更に含む、請求項1記載の方法。
【請求項７】
前記前駆体成分の架橋が水相で開始される、請求項1記載の方法。
【請求項８】
前記混合物が凍結乾燥されるとき、前記ヒドロゲルは実質的に共有結合架橋を完了する、請求項1記載の方法。
【請求項９】
前記前駆体成分が高度に分岐された活性PEGを含む、請求項1記載の方法。
【請求項１０】
前記求核性前駆体は2以上のリジン基を有するオリゴペプチドを含む、請求項9記載の方法。
【請求項１１】
ヒドロゲルの製造方法であって：
前駆体成分を組み合せて、該前駆体成分の共有結合架橋を開始させ、ヒドロゲルを形成すること；
該ヒドロゲルを、該組合せた前駆体成分の凝固点以下に冷却した皿又は容器上に載せること；
架橋が完了する前に、該ヒドロゲルを冷凍すること；
該冷凍したヒドロゲルを凍結乾燥すること；及び
該凍結乾燥したヒドロゲルを調整し、該前駆体成分の共有結合架橋を実質的に完了することを含み、
該前駆体成分は、求電子性官能基を含む第1の求電子性前駆体と、アミン及びチオールからなる群から選択される求核性官能基を含む第2の求核性前駆体とを含み、該求電子性官能基と該求核性官能基とが互いに反応して、共有結合を形成し、該前駆体成分を架橋すし、
該ヒドロゲルの調整が：
該ヒドロゲルを、管理された湿度環境に曝露すること；
該ヒドロゲルを、熱により更に乾燥すること；
該ヒドロゲルを、管理されたガス環境に曝露すること；
該ヒドロゲルを、エアロゾル化緩衝溶液に曝露すること；及び
該ヒドロゲルを、完全乾燥すること；を含む群から選択された1以上の調整ステップを含む、
前記製造方法。
【請求項１２】
前記ヒドロゲルを凍結乾燥するステップが：
該ヒドロゲルを凍結乾燥温度及び真空状態に曝露することを含む第1ステージ；及び
該凍結乾燥温度を上昇させること及び該真空状態を低減させることのうちの少なくとも1つを含む第2ステージを含む、請求項11記載の方法。
【請求項１３】
前記第2ステージは、第2ステージの期間、前記真空状態を低減させることを含み、かつ前記凍結乾燥温度を該第2ステージの期間少なくとも断続的に上昇させる、請求項12記載の方法。
【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
本体内に配設された電動送風機と、
該電動送風機で吸引した空気に含まれた塵埃を捕集し集積する集塵容器と、を備え、
前記集塵容器は、吸込口と塵埃を集積する集塵部を有し、前記吸込口と対向する面が開口した集塵ケースと、
塵埃を含んだ空気を塵埃と塵埃を除いた空気に分離する塵埃分離部と、
前記集塵ケースに回動自在に設けられた前記集塵ケースの開口を閉塞する蓋体で構成され、
前記塵埃分離部は、前記吸込口と連通する導入口連通部と、
該導入口連通部と連通し、前記塵埃を含んだ空気を旋回させ前記塵埃と前記塵埃を除いた空気に遠心分離する旋回部と、
該旋回部の中に配置され、前記塵埃を除いた空気が通過する、吸気口と排気口を有する円筒部で構成されていて、
前記電動送風機の回転軸方向と前記円筒部の軸方向が平行になるように配置し、
前記旋回部は、前記円筒部の外周で空気を旋回させるようになっており、前記旋回部の空気を旋回させる方向と、前記電動送風機の回転方向を逆の回転方向としたことを特徴とする電気掃除機。
【請求項２】
前記円筒部の周方向に小孔あるいは開口を有していないことを特徴とする請求項１に記載の電気掃除機。
【請求項３】
前記電動送風機の回転軸方向と前記円筒部の軸方向が同軸にならないように配置したことを特徴とする請求項１に記載の電気掃除機。
【請求項４】
本体内に配設された電動送風機と、
該電動送風機で吸引した空気に含まれた塵埃を捕集し集積する集塵容器と、を備え、
前記集塵容器は、吸込口と塵埃を集積する集塵部を有し、前記吸込口と対向する面が開口した集塵ケースと、
塵埃を含んだ空気を塵埃と塵埃を除いた空気に分離する塵埃分離部と、
前記集塵ケースに回動自在に設けられた前記集塵ケースの開口を閉塞する蓋体で構成され、
前記塵埃分離部は、前記吸込口と連通する導入口連通部と、
該導入口連通部と連通し、前記塵埃を含んだ空気を旋回させ前記塵埃と前記塵埃を除いた空気に遠心分離する旋回部と、
該旋回部の中に配置され、前記塵埃を除いた空気が通過する吸気口と排気口を有し、周方向に小孔あるいは開口を有していない円筒部で構成されていて、
前記電動送風機の回転軸方向と前記円筒部の軸方向が平行になるように、かつ同軸にならないように配置し、
前記旋回部は、前記円筒部の外周で空気を旋回させるようになっており、前記旋回部の空気を旋回させる方向と、前記電動送風機の回転方向を逆の回転方向としたことを特徴とする電気掃除機。
【請求項５】
前記旋回部に第１の開口を設け、該第１の開口よりも開口面積が小さい第２の開口を、前記第１の開口よりも下流で前記集塵ケースの前記吸込口寄りに設けたことを特徴とする請求項１又は請求項４に記載の電気掃除機。
【請求項６】
前記集塵ケース、あるいは前記旋回部、あるいはそれら両方に、塵埃の戻り防止のためのリブを設けたことを特徴とする請求項１、請求項４及び請求項５の何れか１つに記載の電気掃除機。
【請求項７】
前記蓋体に第１のフィルターを備え、
該第１のフィルターを覆うようにフィルターカバーを設け、
該フィルターカバーは、前記集塵部に集積された前記塵埃を圧縮するために吸引される空気が通過できる塵埃圧縮開口部を有し、
該塵埃圧縮開口部に、第１のフィルターよりも目の粗い第２のフィルターを備えたことを特徴とする請求項１又は請求項４に記載の電気掃除機。
【請求項８】
前記電動送風機の回転軸は前記塵埃圧縮開口部の範囲内に配置したことを特徴とする請求項７に記載の電気掃除機。
【手続補正２】
【補正対象書類名】明細書
【補正対象項目名】０００６
【補正方法】変更
【補正の内容】
【０００６】
課題を解決する本発明に係る電気掃除機は、本体内に配設された電動送風機と、電動送風機で吸引した空気に含まれた塵埃を捕集し集積する集塵容器とを備え、集塵容器は、吸込口と塵埃を集積する集塵部を有し、吸込口と対向する面が開口した集塵ケースと、塵埃を含んだ空気を塵埃と塵埃を除いた空気に分離する塵埃分離部と、集塵ケースに回動自在に設けられた集塵ケースの開口を閉塞する蓋体で構成され、塵埃分離部は、吸込口と連通する導入口連通部と、導入口連通部と連通し、塵埃を含んだ空気を旋回させ塵埃と塵埃を除いた空気に遠心分離する旋回部と、旋回部の中に配置され、塵埃を除いた空気が通過する、吸気口と排気口を有する円筒部で構成されていて、電動送風機の回転軸方向と円筒部の軸方向が平行になるように配置し、旋回部は円筒部の外周で空気を旋回させるようになっており、旋回部の空気を旋回させる方向と、電動送風機の回転方向を逆の回転方向としたものである。
【手続補正３】
【補正対象書類名】明細書
【補正対象項目名】０００７
【補正方法】変更
【補正の内容】
【０００７】
本発明によれば、電動送風機の回転軸方向と円筒部の軸方向が平行になるように配置し、旋回部は円筒部の外周で空気を旋回させるようになっており、旋回部の空気を旋回させる方向と、電動送風機の回転方向を逆の回転方向にしたので、電動送風機の回転により発生する遠心力が、逆の回転方向で旋回する空気の遠心力に上乗せされる。よって、塵埃を含む空気からの塵埃の分離性能を向上させることができる。
【手続補正４】
【補正対象書類名】明細書
【補正対象項目名】００３９
【補正方法】変更
【補正の内容】
【００３９】
図８（ｂ）に示すように電動送風機１８の外周近くに旋回の中心軸となる円筒部２４の軸中心を配置することで電動送風機１８の回転力が旋回部２４の旋回力に上乗せできるようになる。
【手続補正５】
【補正対象書類名】明細書
【補正対象項目名】００６３
【補正方法】変更
【補正の内容】
【００６３】
以上のように、電動送風機の回転軸方向と円筒部の軸方向が平行になるように配置し、旋回部は円筒部の外周で空気を旋回させるようになっており、旋回部の空気を旋回させる方向と、電動送風機の回転方向を逆の回転方向としたので、電動送風機の回転により発生する遠心力が、逆の回転方向で旋回する空気の遠心力に上乗せされる。よって、塵埃を含む空気からの塵埃の分離性能を向上させることができる。
【手続補正６】
【補正対象書類名】図面
【補正対象項目名】図８
【補正方法】変更
【補正の内容】
【図８】
2014144169.tif 000001
【手続補正書】
【提出日】平成27年6月23日(2015.6.23)
【手続補正１】
【補正対象書類名】特許請求の範囲
【補正対象項目名】全文
【補正方法】変更
【補正の内容】
【特許請求の範囲】
【請求項１】
本体内に配設された電動送風機と、
該電動送風機で吸引した空気に含まれた塵埃を捕集し集積する集塵容器と、を備え、
前記集塵容器は、吸込口と塵埃を集積する集塵部を有し、前記吸込口と対向する面が開口した集塵ケースと、
塵埃を含んだ空気を塵埃と塵埃を除いた空気に分離する塵埃分離部と、
前記集塵ケースに回動自在に設けられた前記集塵ケースの開口を閉塞する蓋体で構成され、
前記塵埃分離部に、前記集塵部と連通する複数の開口を備えたことを特徴とする電気掃除機。
【請求項２】
前記塵埃分離部は、前記吸込口と連通する導入口連通部と、
前記導入口連通部と連通し、前記塵埃を含んだ空気を旋回させ前記塵埃と前記塵埃を除いた空気に遠心分離する旋回部と、
前記塵埃を除いた空気が通過する、吸気口と排気口を有する円筒部で構成されることを特徴とする請求項１に記載の電気掃除機。
【請求項３】
前記塵埃分離部を構成する前記旋回部に第１の開口を設け、該第１の開口よりも下流で前記集塵ケースの前記吸込口寄りに第２の開口を設けたことを特徴とする請求項２に記載の電気掃除機。
【請求項４】
前記第２の開口は、前記第１の開口よりも開口面積が小さいことを特徴とする請求項３に記載の電気掃除機。
【請求項５】
前記集塵ケース、あるいは前記旋回部、あるいはそれら両方に、塵埃の戻り防止のためのリブを設けたことを特徴とする請求項２又は請求項３に記載の電気掃除機。
【請求項６】
本体内に配設された電動送風機と、
該電動送風機で吸引した空気に含まれた塵埃を捕集し集積する集塵容器と、を備え、
前記集塵容器は、吸込口と塵埃を集積する集塵部を有し、前記吸込口と対向する面が開口した集塵ケースと、
塵埃を含んだ空気を塵埃と塵埃を除いた空気に分離する塵埃分離部と、
前記集塵ケースに回動自在に設けられ、前記集塵ケースの開口を閉塞する蓋体で構成され、
前記塵埃分離部は、前記吸込口と連通する導入口連通部と、
該導入口連通部と連通し、前記塵埃を含んだ空気を旋回させ前記塵埃と前記塵埃を除いた空気に遠心分離する旋回部と、
前記塵埃を除いた空気が通過する、吸気口と排気口を有する円筒部で構成され、
前記集塵ケース、あるいは前記旋回部、あるいはそれら両方に、塵埃の戻り防止のためのリブを設け、
前記旋回部に第１の開口を設け、該第１の開口よりも下流で前記集塵ケースの前記吸込口寄りに、前記第１の開口よりも開口面積が小さい第２の開口を設けたことを特徴とする電気掃除機。
【請求項７】
前記円筒部の前記吸気口は、前記前記第２の開口の始点よりも下流に設けられたことを特徴とする請求項３、請求項４及び請求項６の何れか１つに記載の電気掃除機。
【請求項８】
前記蓋体に第１のフィルターを備え、該第１のフィルターと前記円筒部の前記排気口との間にフィルターカバーを設け、該フィルターカバーは前記塵埃を除いた空気が通過できる連通口を有し、該連通口に第２のフィルターを備えたことを特徴とする請求項２又は請求項６に記載の電気掃除機。
【請求項９】
前記連通口に備えた第２のフィルターは、前記第１のフィルターより目を粗くしたことを特徴とする請求項８に記載の電気掃除機。
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技用装置と、
前記遊技用装置を被覆する被覆位置と該被覆位置とは異なる非被覆位置とに変位可能なカバー部材と、
回路基板を収納した基板ケースが着脱可能に取り付けられる取付部と、
を備え、
前記基板ケースは、前記取付部から取り外す際に前記カバー部材が前記被覆位置にあるときと前記非被覆位置にあるときのいずれにおいても該カバー部材に接触して取り外しできないように前記取付部に取り付けられる
ことを特徴とする遊技機。
【手続補正２】
【補正対象書類名】明細書
【補正対象項目名】０００１
【補正方法】変更
【補正の内容】
【０００１】
本発明は、遊技を行うことが可能な遊技機に関する。
【手続補正３】
【補正対象書類名】明細書
【補正対象項目名】０００６
【補正方法】変更
【補正の内容】
【０００６】
前記課題を解決するために、本発明の請求項１に記載の遊技機は、
遊技を行うことが可能な遊技機（例えば、パチンコ遊技機１／スロットマシン１００１）であって、
遊技用装置（例えば、演出表示装置９の表示画面に対し進出可能に設けられる演出用可動物（図示略）を駆動する演出用可動装置（図示略）や、演出表示装置９、演出制御基板ケース５００、中継基板（図示略）などの各種演出装置／設定基板１０２０）と、
前記遊技用装置を被覆する被覆位置（例えば、閉鎖位置、図１３／図１８中実線位置参照）と該被覆位置とは異なる非被覆位置（例えば、開放位置、図１４／図１８中２点鎖線位置）とに変位可能なカバー部材（例えば、カバー扉３０２／カバー部材２０００）と、
回路基板（例えば、主基板３１）を収納した基板ケース（例えば、主基板ケース２００）が着脱可能に取り付けられる取付部（例えば、取付部４２０／背板１００１ｃ）と、
を備え、
前記基板ケースは、前記取付部から取り外す際に前記カバー部材が前記被覆位置にあるときと前記非被覆位置にあるときのいずれにおいても該カバー部材に接触して取り外しできないように前記取付部に取り付けられる（例えば、図１３に示すように、カバー扉３０２が閉鎖位置にあるときは、主基板ケース２００を取付位置から着脱位置までスライド移動させる途中で規制片３２２の屈曲片３２２ｂの右端面が被規制部２８０に当接（接触）してスライド移動が規制され、着脱位置まで移動させることができないので、主基板ケース２００を取付部４２０から取り外すことができない。また、図１４に示すように、カバー扉３０２が開放位置にあるときは、主基板ケース２００を取付位置から着脱位置までスライド移動させる途中で傾斜縁辺３０６における切欠部３２５の縁辺が被規制部２８１に当接（接触）してスライド移動が規制され、着脱位置まで移動させることができないので、主基板ケース２００を取付部４２０から取り外すことができない。）
ことを特徴としている。
この特徴によれば、基板ケースを取付部から取り外す際にカバー部材が被覆位置や非被覆位置にあるとカバー部材に接触して取り外すことができなくなるため、基板ケースを取付部から取り外して不正な回路基板を収納した基板ケースに交換されるといった不正行為を抑制することができる。
【手続補正４】
【補正対象書類名】明細書
【補正対象項目名】０００９
【補正方法】変更
【補正の内容】
【０００９】
本発明の手段３の遊技機は、手段２に記載の遊技機であって、
前記基板ケース（例えば、主基板ケース２００）は、前記カバー部材（例えば、カバー扉３０２）が前記被覆位置（例えば、閉鎖位置、図１３参照）及び前記非被覆位置（例えば、開放位置、図１４参照）以外の特定位置（例えば、図１５，図１６に示す中間位置）であるときに前記取付部から取り外し可能となる（例えば、図１６に示すように、カバー扉３０２が中間位置にあるときは、主基板ケース２００を取付位置から着脱位置までスライド移動させる途中でカバー扉３０２が接触することがないので、主基板ケース２００を取付部４２０から取り外すことが可能となる。）
ことを特徴としている。
この特徴によれば、カバー部材を特定位置にすれば基板ケースを取付部から取り外すことが可能となるので、該カバー部材を外さなくても基板ケースの点検や交換作業を容易に行うことができる。
【手続補正５】
【補正対象書類名】明細書
【補正対象項目名】０１３４
【補正方法】変更
【補正の内容】
【０１３４】
また、主基板ケース２００は、取付部４２０における取付位置から該取付部４２０に対し着脱可能となる着脱位置までスライド移動させることにより該取付部４２０から取り外し可能となり、取付位置から着脱位置に到達するまでにカバー扉３０２に当接（接触）してスライド移動が規制されることにより、取付部４２０から取り外しできなくなる。具体的には、図１３に示すように、カバー扉３０２が閉鎖位置にあるときは、主基板ケース２００を取付位置から着脱位置までスライド移動させる途中で規制片３２２の屈曲片３２２ｂの右端面が被規制部２８０に当接（接触）してスライド移動が規制され、着脱位置まで移動させることができないので、主基板ケース２００を取付部４２０から取り外すことができなくなる。また、図１４に示すように、カバー扉３０２が開放位置にあるときは、主基板ケース２００を取付位置から着脱位置までスライド移動させる途中で傾斜縁辺３０６における切欠部３２５の縁辺が被規制部２８１に当接（接触）してスライド移動が規制され、着脱位置まで移動させることができないので、主基板ケース２００を取付部４２０から取り外すことができなくなる。このようにすることで、カバー扉３０２との接触により主基板ケース２００を取付部４２０に対し着脱することができない位置、つまり、着脱位置以外の位置に保持することができるため、取付部４２０からの取り外しをより困難とすることができる。
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
車体後方側にステアリングホイールが装着されたステアリングシャフトと、
前記ステアリングシャフトを回転可能に軸支するコラムに取付けられた車体取付けブラケットと、
前記車体取付けブラケットのフランジ部を挟持する上下一対の上側挟持板と下側挟持板を有し、車体に固定される左右一対のカプセルと、
車体前方側への所定の衝撃力で前記カプセルから離脱可能に前記フランジ部を前記カプセルに連結する連結手段と、
前記カプセルの底面に開口したテーパー状の孔に、ガイドブラケットの円筒部が固定されており、前記ガイドブラケットは、前記フランジ部の車体前方側端面よりも車体前方側に、コラプス移動距離よりも長く延びる車体前方側延長部を備え、前記車体前方側延長部が、前記フランジ部をコラプス移動端まで案内することを特徴とするステアリング装置。
【請求項２】
前記フランジ部および前記カプセルは合成樹脂で連結されていることを特徴とする請求項１に記載のステアリング装置。
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
複数種類の図柄を表示した複数のリールと、
遊技を行うときに遊技者が操作する操作スイッチと、
特定抽選結果となる場合を有するように役の抽選を行う役抽選手段と、
遊技の進行を遅延させるフリーズ演出を制御するフリーズ制御手段と
を備え、
遊技状態として、第１遊技状態と、第１遊技状態から移行可能であって所定のフリーズ演出を実行可能な第２遊技状態とを有し、
第１遊技状態において前記特定抽選結果となった遊技で特定押し順で前記ストップスイッチが操作されたことを必要条件として、第１遊技状態から第２遊技状態に移行させるように制御し、
第２遊技状態では、遊技者にとって有利となる特定遊技を実行可能に制御し、
前記特定遊技において所定の条件を満たしたときは、前記特定遊技の遊技期間を上乗せするか否か及び上乗せ数を決定するように制御し、
前記フリーズ制御手段は、前記決定した上乗せ数を報知する前記所定のフリーズ演出を実行するように制御する
ことを特徴とするスロットマシン。
【手続補正２】
【補正対象書類名】明細書
【補正対象項目名】０００１
【補正方法】変更
【補正の内容】
【０００１】
本発明は、特定遊技の遊技期間を上乗せするスロットマシンに関するものである。
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】変更
【補正の内容】
【０００５】
本発明が解決しようとする課題は、特定遊技の遊技期間を上乗せするスロットマシンにおいて、決定した上乗せ数を遊技者に報知することである。
【手続補正５】
【補正対象書類名】明細書
【補正対象項目名】０００６
【補正方法】変更
【補正の内容】
【０００６】
本発明は、以下の解決手段によって、上述の課題を解決する。なお、かっこ書きにて、対応する実施形態を示す。
請求項１の発明は、
複数種類の図柄を表示した複数のリール（３１）と、
遊技を行うときに遊技者が操作する操作スイッチ（ベットスイッチ４０、スタートスイッチ４１、又はストップスイッチ４２）と、
特定抽選結果となる場合を有するように役の抽選を行う役抽選手段（６１）と、
遊技の進行を遅延させるフリーズ演出を制御するフリーズ制御手段（７１）と
を備え、
遊技状態として、第１遊技状態（他のＲＴ遊技）と、第１遊技状態から移行可能であって所定のフリーズ演出を実行可能な第２遊技状態（リプレイ１とリプレイ２とに重複当選する確率が他のＲＴ遊技より高い特定のＲＴ遊技）とを有し、
第１遊技状態において前記特定抽選結果となった遊技で特定押し順で前記ストップスイッチが操作されたことを必要条件として、第１遊技状態から第２遊技状態に移行させるように制御し、
第２遊技状態では、遊技者にとって有利となる特定遊技（ＡＴ遊技）を実行可能に制御し、
前記特定遊技において所定の条件を満たした（ＡＴ遊技中に小役１Ａ又は小役２が入賞した遊技の次遊技でスタートスイッチが操作された）ときは、前記特定遊技の遊技期間を上乗せするか否か及び上乗せ数を決定するように制御し（上乗せ決定手段９５）、
前記フリーズ制御手段は、前記決定した上乗せ数を報知する前記所定のフリーズ演出（決定した上乗せ数を示す停止出目Ｂを表示窓内に表示する特定リール動作）を実行するように制御する
ことを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
本発明によれば、特定遊技において所定の条件を満たすと、上乗せするか否か及び上乗せ数を決定する。そして、決定した上乗せ数を報知する所定のフリーズ演出を実行するので、決定した上乗せ数を遊技者に報知することができる。
【手続補正書】
【提出日】平成27年9月2日(2015.9.2)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技者の動作を検出可能な検出手段と、
前記検出手段の検出が有効となる検出有効期間の内に前記検出手段により遊技者の動作が検出されたことに基づいて、該検出された第１タイミング、又は、該第１タイミングよりも遅延した第２タイミングにおいて、前記有利状態に制御される可能性を示す特定演出を実行する特定演出実行手段と、
遊技者の動作を促す報知を実行する促進報知実行手段と、を有し、
前記促進報知実行手段は、前記第１タイミングにおいて特定演出が実行されるときと、前記第２タイミングにおいて特定演出が実行されるときとで、共通の態様により遊技者の動作を促す報知を実行可能である、ことを特徴とする遊技機。
【手続補正２】
【補正対象書類名】明細書
【補正対象項目名】０００１
【補正方法】変更
【補正の内容】
【０００１】
本発明は、遊技者にとって有利な有利状態に制御可能な遊技機に関する。
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】変更
【補正の内容】
【０００５】
本発明は、遊技者の期待感を向上させることができる遊技機を提供することにある。
【手続補正５】
【補正対象書類名】明細書
【補正対象項目名】０００７
【補正方法】変更
【補正の内容】
【０００７】
手段１に係る発明は、
遊技者にとって有利な有利状態（大当り遊技状態）に制御可能な遊技機（パチンコ遊技機１）であって、
遊技者の動作を検出可能な検出手段と、
前記検出手段の検出が有効となる検出有効期間の内に前記検出手段により遊技者の動作が検出されたことに基づいて、該検出された第１タイミング、又は、該第１タイミングよりも遅延した第２タイミングにおいて、前記有利状態に制御される可能性を示す特定演出（演出用役物１２７の作動）を実行する特定演出実行手段（ステップＳ８１６２，ステップＳ８１８４の処理を行う演出制御用マイクロコンピュータ１００）と、
遊技者の動作を促す報知を実行する促進報知実行手段と、を有し、
前記促進報知実行手段は、前記第１タイミングにおいて特定演出が実行されるときと、前記第２タイミングにおいて特定演出が実行されるときとで、共通の態様により遊技者の動作を促す報知を実行可能である、ことを特徴とする遊技機である。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
手段１に係る発明によれば、遊技者の期待感を向上させることができる。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
未だ開始されていない可変表示を保留情報として記憶可能な保留記憶手段と、
前記保留記憶手段に記憶された保留情報に対応する保留表示を行う保留表示手段と、
前記有利状態に制御されるか否かを判定する判定手段と、
前記判定手段の判定結果に基づいて、保留表示の表示態様を通常態様とは異なる特定態様により表示することによって前記有利状態に制御される可能性を予告する予告演出を実行する予告演出実行手段と、を備え、
前記予告演出実行手段は、所定のタイミングにおいて前記特定態様により表示される可能性のある保留表示を、前記所定のタイミングよりも前に特殊態様により表示可能である、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に関する。
【手続補正３】
【補正対象書類名】明細書
【補正対象項目名】０００５
【補正方法】変更
【補正の内容】
【０００５】
しかし、上記特許文献１に記載の遊技機では、遊技興趣が低下してしまうおそれがあった。
【手続補正４】
【補正対象書類名】明細書
【補正対象項目名】０００６
【補正方法】変更
【補正の内容】
【０００６】
本発明は、上記実情に鑑みてなされたものであり、遊技興趣を向上させることができる遊技機の提供を目的とする。
【手続補正５】
【補正対象書類名】明細書
【補正対象項目名】０００７
【補正方法】変更
【補正の内容】
【０００７】
（１）上記目的を達成するため、本発明に係る遊技機は、
可変表示を行い、遊技者にとって有利な有利状態に制御可能な遊技機であって、
未だ開始されていない可変表示を保留情報として記憶可能な保留記憶手段と、
前記保留記憶手段に記憶された保留情報に対応する保留表示を行う保留表示手段と、
前記有利状態に制御されるか否かを判定する判定手段と、
前記判定手段の判定結果に基づいて、保留表示の表示態様を通常態様とは異なる特定態様により表示することによって前記有利状態に制御される可能性を予告する予告演出を実行する予告演出実行手段と、を備え、
前記予告演出実行手段は、所定のタイミングにおいて前記特定態様により表示される可能性のある保留表示を、前記所定のタイミングよりも前に特殊態様により表示可能である、
ことを特徴とする。
また、
遊技領域に設けられた始動領域を遊技媒体が通過したことに基づいて、各々を識別可能な複数種類の識別情報（例えば特別図柄や飾り図柄など）の可変表示を行い表示結果を導出する可変表示手段（例えば第１及び第２特別図柄表示装置４Ａ、４Ｂや画像表示装置５など）を備え、識別情報の表示結果として予め定められた特定表示結果（例えば大当り図柄となる特別図柄や大当り組合せの確定飾り図柄など）が導出されたときに、遊技者にとって有利な特定遊技状態に制御する遊技機（例えばパチンコ遊技機１など）であって、
前記始動領域を遊技媒体が通過したにもかかわらず未だ開始されていない識別情報の可変表示について、前記特定表示結果とするか否かを決定するための情報を所定の上限記憶数（例えば第１、第２特図保留記憶数がそれぞれ「４」以下など）の範囲内で保留情報として記憶可能な保留記憶手段（例えば第１、第２特図保留記憶部１５１Ａ、１５１Ｂなど）と、
識別情報の可変表示を開始するときに前記保留記憶手段から読み出した保留情報に基づいて、当該識別情報の可変表示結果を前記特定表示結果とするか否かを決定する開始時決定手段（例えばステップＳ２４３の処理を実行するＣＰＵ１０３など）と、
前記開始時決定手段の決定結果に基づいて、識別情報の可変表示を実行する可変表示実行手段（例えばステップＳ２７１の処理を実行した後、ステップＳ１１２、Ｓ１１３の処理を実行するＣＰＵ１０３など）と、
前記始動領域を遊技媒体が通過して前記保留記憶手段に前記保留情報が新たに記憶されたことに基づいて、当該新たに記憶された保留情報に対応する保留表示を行う保留表示手段（例えば第１、第２保留表示器２５Ａ、２５Ｂなど）と、
前記開始時決定手段による決定前に、前記始動領域を遊技媒体が通過したことに基づいて前記特定表示結果となるか否かを判定する開始前判定手段（例えばステップＳ２１２の入賞時乱数値判定処理を実行するＣＰＵ１０３など）と、
前記開始前判定手段の判定結果に基づいて、前記保留表示手段により表示された前記保留表示の表示態様を通常態様とは異なる特定態様に変更することにより前記特定表示結果が導出される可能性があることを予告する予告演出を、実行するか否かを決定する予告演出決定手段（例えばステップＳ５２１の先読み予告演出設定処理を実行する演出制御用ＣＰＵ１２０など）と、
前記予告演出決定手段による決定結果に基づいて所定のタイミングで前記予告演出を実行する予告演出実行手段（例えばステップＳ５２１の処理を実行する演出制御用ＣＰＵ１２０など）と、を備え、
前記予告演出決定手段は、前記保留記憶手段により前記予告演出の対象となる前記保留情報が記憶された後に前記始動領域を通過した前記遊技媒体の数が多いほど高い割合で前記予告演出を実行する旨を決定する（例えばステップＳ７２４の処理などを実行する）、
ことを特徴とする。
【手続補正６】
【補正対象書類名】明細書
【補正対象項目名】０００８
【補正方法】変更
【補正の内容】
【０００８】
このような構成によれば、遊技興趣を向上させることができる。
【手続補正書】
【提出日】平成27年5月11日(2015.5.11)
【手続補正１】
【補正対象書類名】明細書
【補正対象項目名】００１４
【補正方法】変更
【補正の内容】
【００１４】
上記課題を解決するために、本発明の給紙装置は、装置本体の装着部に着脱自在な給紙カセットを備え、上記給紙カセットは、用紙収納部から後方に連設された延長部と、上記給紙カセットの両側面において上記用紙収納部の前端から上記延長部に亘って水平方向に形成された装着係合部と、上記延長部の前後の中間の位置で上記装着係合部の下面に配置された第１のコロと、上記第１のコロと上記延長部の後端との中間の位置で上記装着係合部の上面に配置された第２のコロと、を備え、上記装着部は、上記装置本体のフレームに固設され、上記装着部に装着される上記給紙カセットの上記装着係合部の下面に沿って延在する位置に配置され、上記第１のコロを介して上記給紙カセットを支持する下ガイドレールと、該下ガイドレールの前部に配置され、上記装着部に装着される上記給紙カセットの上記装着係合部の下面を介して上記給紙カセットを支持する本体側コロと、上記下ガイドレールに対向する位置に配置され、上記装着部に装着される上記給紙カセットの上記装着係合部の上面との間に前下がりに狭まり且つ上記装着部の装着口まで連続する最も狭い間隙において下面を上記装着係合部の上記第２のコロに接触させて上記給紙カセットの後端部の上方への移動を禁止する上ガイドレールと、を備える、ように構成される。
【手続補正２】
【補正対象書類名】特許請求の範囲
【補正対象項目名】全文
【補正方法】変更
【補正の内容】
【特許請求の範囲】
【請求項１】
装置本体の装着部に着脱自在な給紙カセットを備える給紙装置であって、
前記給紙カセットは、
用紙収納部から後方に連設された延長部と、
前記給紙カセットの両側面において前記用紙収納部の前端から前記延長部に亘って水平方向に形成された装着係合部と、
前記延長部の前後の中間の位置で前記装着係合部の下面に配置された第１のコロと、
前記第１のコロと前記延長部の後端との中間の位置で前記装着係合部の上面に配置された第２のコロと、
を備え、
前記装着部は、
前記装置本体のフレームに固設され、前記装着部に装着される前記給紙カセットの前記装着係合部の下面に沿って延在する位置に配置され、前記第１のコロを介して前記給紙カセットを支持する下ガイドレールと、
該下ガイドレールの前部に配置され、前記装着部に装着される前記給紙カセットの前記装着係合部の下面を介して前記給紙カセットを支持する本体側コロと、
前記下ガイドレールに対向する位置に配置され、前記装着部に装着される前記給紙カセットの前記装着係合部の上面との間に前下がりに狭まり且つ前記装着部の装着口まで連続する最も狭い間隙において下面を前記装着係合部の前記第２のコロに接触させて前記給紙カセットの後端部の上方への移動を禁止する上ガイドレールと、
を備える、
ことを特徴とする給紙装置。
【請求項２】
前記給紙カセットと前記装着部は、前記給紙カセットを前記装着部から引き出したとき前記給紙カセットの前端が下方に傾くことを防止すべく構成されている
ことを特徴とする請求項１記載の給紙装置。
【手続補正書】
【提出日】平成27年5月8日(2015.5.8)
【手続補正１】
【補正対象書類名】明細書
【補正対象項目名】００１０
【補正方法】変更
【補正の内容】
【００１０】
請求項３に係る発明は、
アルコールを含む溶媒中にアルカリ触媒が含まれるアルカリ触媒溶液を準備する工程と、
前記アルカリ触媒溶液中に、テトラアルコキシシラン、及びアルカリ触媒を供給して、シリカ粒子を生成する工程と、
前記シリカ粒子が生成した前記アルカリ触媒溶液中に、チタン原子に酸素原子を介して有機基が結合している有機チタン化合物とアルコールとの混合液を添加して、前記有機チタン化合物により前記シリカ粒子の表面を表面処理する工程と、
疎水化処理剤により、前記有機チタン化合物で表面処理されたシリカ粒子の表面を表面処理する工程と、
を有するシリカ複合粒子の製造方法。
【手続補正２】
【補正対象書類名】明細書
【補正対象項目名】００３６
【補正方法】変更
【補正の内容】
【００３６】
本実施形態に係るシリカ複合粒子の製造方法は、アルコールを含む溶媒中にアルカリ触媒が含まれるアルカリ触媒溶液を準備する工程と、アルカリ触媒溶液中に、テトラアルコキシシラン、及びアルカリ触媒を供給して、シリカ粒子を生成する工程と、シリカ粒子が生成したアルカリ触媒溶液中に、チタン原子に酸素原子を介して有機基が結合している有機チタン化合物とアルコールとの混合液を添加して、有機チタン化合物によりシリカ粒子の表面を表面処理する工程と、疎水化処理剤により有機チタン化合物で表面処理されたシリカ粒子の表面を疎水化処理剤により表面処理する工程と、を有するシリカ複合粒子の製造方法である。
【手続補正３】
【補正対象書類名】特許請求の範囲
【補正対象項目名】全文
【補正方法】変更
【補正の内容】
【特許請求の範囲】
【請求項１】
シリカ粒子の表面が、チタン原子に酸素原子を介して有機基が結合している有機チタン化合物、及び疎水化処理剤により順次表面処理されたシリカ複合粒子において、蛍光Ｘ線による該シリカ複合粒子中のチタン含有率が０．００１質量％以上１０質量％以下であり、該シリカ複合粒子の表層部のチタン含有率が下記式（１）を満し、該シリカ複合粒子の平均粒径が３０ｎｍ以上５００ｎｍ以下で、且つ粒度分布指標が１．１以上１．５以下であるシリカ複合粒子。
・式（１）０．６＜Ｙ／Ｘ＜１．８
（式（１）中、Ｘは蛍光Ｘ線によるシリカ複合粒子中のチタン含有率（質量％）を示す。ＹはＸＰＳ測定によるシリカ複合粒子表面のチタン含有率（ａｔｏｍ％）を示す。）
【請求項２】
前記シリカ複合粒子の平均円形度が０．５以上０．８５以下である請求項１に記載のシリカ複合粒子。
【請求項３】
アルコールを含む溶媒中にアルカリ触媒が含まれるアルカリ触媒溶液を準備する工程と、
前記アルカリ触媒溶液中に、テトラアルコキシシラン、及びアルカリ触媒を供給して、シリカ粒子を生成する工程と、
前記シリカ粒子が生成した前記アルカリ触媒溶液中に、チタン原子に酸素原子を介して有機基が結合している有機チタン化合物とアルコールとの混合液を添加して、前記有機チタン化合物により前記シリカ粒子の表面を表面処理する工程と、
疎水化処理剤により、前記有機チタン化合物で表面処理されたシリカ粒子の表面を表面処理する工程と、
を有するシリカ複合粒子の製造方法。
【請求項４】
アルコールを含む溶媒中に、０．６ｍｏｌ／Ｌ以上０．８５ｍｏｌ／Ｌ以下の濃度でアルカリ触媒が含まれるアルカリ触媒溶液を準備する工程と、
前記アルカリ触媒溶液中に、前記アルコールに対して、０．００１ｍｏｌ／（ｍｏｌ・ｍｉｎ）以上０．０１ｍｏｌ／（ｍｏｌ・ｍｉｎ）以下の供給量で、テトラアルコキシシランを供給すると共に、前記テトラアルコキシシランの１分間当たりに供給される総供給量の１ｍｏｌ当たりに対して、０．１ｍｏｌ以上０．４ｍｏｌ以下でアルカリ触媒を供給して、シリカ粒子を生成する工程と、
前記シリカ粒子が生成した前記アルカリ触媒溶液中に、チタン原子に酸素原子を介して有機基が結合している有機チタン化合物とアルコールとの混合液を供給して、前記有機チタン化合物により前記シリカ粒子の表面を表面処理する工程と、
疎水化処理剤により、前記有機チタン化合物で表面処理されたシリカ粒子の表面を表面処理する工程と、
を有するシリカ複合粒子の製造方法。
【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
ＬＩＮＧＯ−１に特異的に結合する単離された抗体またはその抗原結合断片であって、該抗体またはその抗原結合断片は、ＶＨおよびＶＬを含み、該ＶＨのＣＤＲ１、ＣＤＲ２およびＣＤＲ３領域は、それぞれ、参照重鎖ＣＤＲ１、ＣＤＲ２およびＣＤＲ３ポリペプチド配列である配列番号６、配列番号７および配列番号８と少なくとも９０％同一である、単離された抗体またはその抗原結合断片。
【請求項２】
前記ＶＨのＣＤＲ１、ＣＤＲ２およびＣＤＲ３領域が、それぞれ、参照重鎖ＣＤＲ１、ＣＤＲ２およびＣＤＲ３ポリペプチド配列である配列番号６、配列番号７および配列番号８と少なくとも９５％同一である、請求項１に記載の単離された抗体またはその抗原結合断片。
【請求項３】
ＬＩＮＧＯ−１に特異的に結合する単離された抗体またはその抗原結合断片であって、該抗体またはその抗原結合断片は、ＶＨおよびＶＬを含み、該ＶＨのＣＤＲ１およびＣＤＲ２は、それぞれ、配列番号６および配列番号７を含み、そして、該ＶＨのＣＤＲ３は、配列番号８のＣＤＲ３配列と少なくとも９０％同一である、単離された抗体またはその抗原結合断片。
【請求項４】
前記ＶＨのＣＤＲ３が、配列番号８のＣＤＲ３配列と少なくとも９５％同一である、請求項３に記載の単離された抗体またはその抗原結合断片。
【請求項５】
前記ＶＬのＣＤＲ１、ＣＤＲ２およびＣＤＲ３領域は、それぞれ、参照軽鎖ＣＤＲ１、ＣＤＲ２およびＣＤＲ３ポリペプチド配列である配列番号１４、配列番号１５および配列番号１６と少なくとも９０％同一である、請求項１〜４のいずれか一項に記載の単離された抗体またはその抗原結合断片。
【請求項６】
前記ＶＬのＣＤＲ１、ＣＤＲ２およびＣＤＲ３領域は、それぞれ、参照軽鎖ＣＤＲ１、ＣＤＲ２およびＣＤＲ３ポリペプチド配列である配列番号１４、配列番号１５および配列番号１６と少なくとも９５％同一である、請求項５に記載の単離された抗体またはその抗原結合断片。
【請求項７】
前記ＶＬのＣＤＲ１、ＣＤＲ２およびＣＤＲ３領域は、それぞれ、参照軽鎖ＣＤＲ１、ＣＤＲ２およびＣＤＲ３ポリペプチド配列である配列番号１４、配列番号１５および配列番号１６と同一である、請求項５または６に記載の単離された抗体またはその抗原結合断片。
【請求項８】
前記ＶＨのＣＤＲ３が、配列番号８および３５〜４９のいずれか一つに示されるアミノ酸配列を含む、請求項１〜７のいずれか一項に記載の単離された抗体またはその抗原結合断片。
【請求項９】
ＬＩＮＧＯ−１に特異的に結合する単離された抗体またはその抗原結合断片であって、該抗体またはその抗原結合断片は、ＶＨおよびＶＬを含み、該ＶＨのＣＤＲ１およびＣＤＲ２領域は、それぞれ、参照重鎖ＣＤＲ１およびＣＤＲ２ポリペプチド配列である配列番号６および配列番号７と同一であり、そして、該ＶＨのＣＤＲ３は、配列番号８に示されるアミノ酸配列、または、４つ以下の置換を持つ配列番号８に示されるアミノ酸配列を有する、単離された抗体またはその抗原結合断片。
【請求項１０】
前記ＶＨのＣＤＲ３が、配列番号８に示されるアミノ酸配列、または、３つ以下の置換を持つ配列番号８に示されるアミノ酸配列を有する、請求項９に記載の単離された抗体またはその抗原結合断片。
【請求項１１】
前記ＶＨのＣＤＲ３が、配列番号８に示されるアミノ酸配列、または、２つ以下の置換を持つ配列番号８に示されるアミノ酸配列を有する、請求項９に記載の単離された抗体またはその抗原結合断片。
【請求項１２】
前記ＶＨのＣＤＲ３が、配列番号８に示されるアミノ酸配列、または、１つの置換を持つ配列番号８に示されるアミノ酸配列を有する、請求項９に記載の単離された抗体またはその抗原結合断片。
【請求項１３】
前記ＶＬのＣＤＲ１、ＣＤＲ２およびＣＤＲ３領域は、それぞれ、参照軽鎖ＣＤＲ１、ＣＤＲ２およびＣＤＲ３ポリペプチド配列である配列番号１４、配列番号１５および配列番号１６と少なくとも９０％同一である、請求項９〜１２のいずれか一項に記載の単離された抗体またはその抗原結合断片。
【請求項１４】
前記ＶＬのＣＤＲ１、ＣＤＲ２およびＣＤＲ３領域は、それぞれ、参照軽鎖ＣＤＲ１、ＣＤＲ２およびＣＤＲ３ポリペプチド配列である配列番号１４、配列番号１５および配列番号１６と少なくとも９５％同一である、請求項１３に記載の単離された抗体またはその抗原結合断片。
【請求項１５】
前記ＶＬのＣＤＲ１、ＣＤＲ２およびＣＤＲ３領域は、それぞれ、参照軽鎖ＣＤＲ１、ＣＤＲ２およびＣＤＲ３ポリペプチド配列である配列番号１４、配列番号１５および配列番号１６と同一である、請求項１３に記載の単離された抗体またはその抗原結合断片。